(57)【特許請求の範囲】
【請求項１】
海上に浮設する浮体構造物の少なくとも入射波側の外縁部に、海側へ向けて下り勾配となるように消波ビーチを設け、且つ該消波ビーチの外側端部に、複数の扉体を消波ビーチに沿わせて配列して海側へのみ水平方向に開くように取り付けて排水弁を構成してなることを特徴とする浮体構造物の消波排水装置。
【請求項２】
各扉体を閉じる方向へ付勢するスプリングを備えた請求項１記載の浮体構造物の消波排水装置。
【請求項３】
扉体を海側へ向けて下り勾配となるように傾斜配置し、扉体に閉じる方向の力を自重によって与えるようにした請求項１記載の浮体構造物の消波排水装置。
【請求項４】
扉体を、上端を支点に下端が上下方向へ開くようにして、扉体に閉じる方向の力を自重によって与えるようにした請求項１記載の浮体構造物の消波排水装置。
【請求項５】
消波ビーチの内方位置に、消波ビーチに沿わせて防波堤を設けた請求項１、２、３又は４記載の浮体構造物の消波排水装置。
【発明の詳細な説明】
【０００１】
【発明の属する技術分野】
本発明は主として海上空港や沖合人工島の如き大型の浮体構造物で用いる消波排水装置に関するものである。
【０００２】
【従来の技術】
海上に浮設されて用いられる浮体構造物では、大型のものである場合、あるいは、大型でなくとも海象の変化の激しい海域に設置されるような場合、波浪等に伴う海水の繰り返しの打ち込みによって、浮体構造物自体が受ける荷重は多大なものとなる。
【０００３】
【発明が解決しようとする課題】
ところが、従来の浮体構造物においては、海水の打ち込みに対する特別な対策は立てられておらず、たとえば、浮体構造物の側面に塀状の板を取り付けたり、あるいは、浮体構造物の側面に緩い傾斜を付けたりする程度であり、海水の打ち込みによる荷重に対する根本的な対策とはなっていない。
【０００４】
すなわち、前者の塀状の板を設ける方式の場合には、通常の入射波に対しては有効であるが、板を乗り越えて海水が大きく打ち込まれたときの荷重を軽減することはできず、しかも排水が困難となる問題があり、一方、後者の緩い傾斜を付ける方式の場合には、排水面での問題はないが、やはり、海水が大きく打ち込まれたときの荷重を効果的に軽減することはできないという問題がある。
【０００５】
そこで、本発明は、海水の打ち込みが起きた場合には、海水の打ち込みによる荷重を効果的に軽減できるようにし、且つ排水を速やかに行わせることができるような浮体構造物の消波排水装置を提供しようとするものである。
【０００６】
【課題を解決するための手段】
本発明は、上記課題を解決するために、海上に浮設する浮体構造物の少なくとも入射波側の外縁部に、海側へ向けて下り勾配となるように消波ビーチを設け、且つ該消波ビーチの外側端部に、複数の扉体を消波ビーチに沿わせて配列して海側へのみ水平方向に開くように取り付けて排水弁を構成し、更に、上記各扉体を閉じる方向へ付勢するスプリングを備えた構成とする。
【０００７】
排水弁の各扉体は海側へのみ開くようになっていることから、通常の入射波に対しては閉じた状態を維持し、海水の浸入を防ぐことができる。又、排水弁を乗り越えて海水が打ち込まれた場合は、消波ビーチにて消波、減衰させることができるため、海水打ち込みによる荷重を軽減できると共に、上部施設の方へ海水が流れるのを防ぐことができる。消波、減衰させられた海水は消波ビーチを排水路として扉体の内側まで流れ、扉体を海側へ押し開くことにより速やかに排出される。
【０００８】
扉体をスプリングにより閉じ方向に付勢させるようにすると、扉体を閉じた状態に維持でき、入射波の浸入を防ぐことができると共に、扉体が常時開閉して音を発することがない。
【０００９】
又、扉体を海側へ向けて下り勾配になるように傾斜配置したり、上端を支点に上下方向に開くように配置すると、扉体に自重による閉じ力を与えることができる。
【００１０】
更に、消波ビーチの内側に、防波堤を付加した構成とすることにより、万一、海水が消波ビーチを乗り上げたとしても、防波堤にて堰止めることができる。
【００１１】
【発明の実施の形態】
以下、本発明の実施の形態を図面を参照して説明する。
【００１２】
図１乃至図３は本発明の実施の一形態を示すもので、海上に浮設する浮体構造物１の少なくとも入射波側に位置する外縁部に、海２側へ向けて下り勾配となる階段状の消波ビーチ３を構築し、且つ該消波ビーチ３の外側端部に、多数の扉体４を消波ビーチ３に沿わせて配列して海２側となる外側へのみ開くように取り付けて排水弁５を構成し、海２側からの通常時の入射波を、排水弁５を構成する各扉体４にて遮断できるようにし、排水弁５を乗り越えて打ち込まれた海水を、上記消波ビーチ３で消波、減衰させられるようにすると共に、扉体４を外側へ開かせて海水を海２側へ戻せるようにする。
【００１３】
上記排水弁５は、消波ビーチ３に沿わせて水平方向に所要間隔で立設した多数の支柱６に、順次隣りの支柱６の方向へ向けて所要量張り出すようにしたサポートフレーム７を固定装着し、該各サポートフレーム７の端に、先端側が隣りの支柱６の外側に接する幅とし且つ、所要高さとした硬質ゴム製の扉体４をヒンジ（蝶番）８にてそれぞれ回動自在に取り付け、扉体４の外側面に入射波が作用すると閉じて先端側が常に隣りの支柱６に外側から押接されて閉じられるようにする。
【００１４】
上記排水弁５の扉体４が最も開いたときの開度を、大きくならないようにヒンジ８で調整するか、又はストッパで規制するようにして、扉体４が自然に開いていても入射波により押されて閉じられるようにする。
【００１５】
又、図２、図３に一例を示す如く、扉体４と隣りの支柱６との間にスプリング９を介在させて、常に扉体４を閉じる方向に付勢させるようにすることもできる。
【００１６】
なお、１０は浮体構造物１上に設けられている上部施設を示す。
【００１７】
浮体構造物１の最外側端部となる消波ビーチ３の外側端部に装備された排水弁５は、扉体４の自由端側が支柱６の外側に当接して閉じた状態になるので、図２に示す如く、通常の入射波２ａが押し寄せてきたときに開くことはなく、排水弁５の内側への海水の浸入を防ぐことができる。この際、スプリング９を付けた構成とすれば、扉体４は閉じた状態を維持できるので、入射波で扉体４が押されて閉じることがなくて入射波の浸入を防ぐことができ、又、扉体４が風等で開くことも防止できる。
【００１８】
一方、波浪等により、海水が排水弁５を乗り越えて排水弁５の内側に打ち込まれた場合には、打ち込まれた海水は階段状の消波ビーチ３によって消波され、且つそのエネルギーが減衰されることになる。したがって、海水の打ち込みによる荷重は消波ビーチ３によって軽減されることになる。又、打ち込まれた海水は、上述したように減衰されるため、上部施設１０の方へ流れて行くことはなく、消波ビーチ３を排水路として流下するので、図３に示す如く、排水弁５の扉体４を内側から外側へ押して開くことにより海２側へ速やかに流出する。なお、この際、一部の海水は扉体４の内側で反射することもあるが、この反射波も消波ビーチ３によって消波されることになり、その後、扉体４を押し開いて排水される。
【００１９】
次に、図４は本発明の他の実施の形態を示すもので、図１乃至図３に示したものと同様に浮体構造物１に階段状の消波ビーチ３を設けた構成において、前記と同様な構成とした排水弁５を構成する各扉体４の上端側を消波ビーチ３側へ近付けるように後傾姿勢となるように配置して、扉体４が自重で閉じた状態を維持できるようにしたものである。なお、１１は支柱６を傾斜配置することに伴う補助ステーを示す。
【００２０】
図４に示すように排水弁５を全体的に傾斜配置すると、各扉体４は傾斜により常に自重で閉じる方向に力が与えられるようになるので、閉じ力を付与するためにスプリング９を装備する必要がなく、メンテナンスの上でも有利となる。
【００２１】
又、図５（イ）（ロ）は本発明の更に他の実施の形態を示すもので、扉体４を上端部を中心に外方へ開くようにしたものである。すなわち、消波ビーチ３の外側端部に所要間隔で立設した各支柱６の上端間に水平ビーム１２を取り付けて、この水平ビーム１２に、サポートフレーム７を横に並べて取り付け、該各サポートフレーム７に、扉体４の上端部をヒンジ８にて前後方向へ回動自在に取り付け支持させて、ヒンジ８を支点として扉体４が外側へのみ開くように構成し、且つ扉体４が閉じたときに該扉体４の下端部を支柱６又は浮体構造物１上面に設けたストッパ１４に当接させるようにしたものである。
【００２２】
図５（イ）（ロ）に示すように構成すると、各扉体４は自重で戻ろうとするために常に扉体４を閉じているようになり、上記図４に示す実施の形態と同様な作用効果が奏し得られる。
【００２３】
更に、図６は本発明の更に別の実施の形態を示すもので、図１、図４及び図５に示した実施の形態において（図では図１に対応させてある）、浮体構造物１上の消波ビーチ３の内方位置に、消波ビーチ３に沿わせて所要高さの防波堤１３を設置したものである。
【００２４】
図６に示すようにすると、排水弁５を乗り越えて打ち込まれた海水のエネルギーが、万一、消波ビーチ３にて減衰されきれずに消波ビーチ３をも乗り越えようとする事態が発生したとしても、防波堤１３にてそれを堰止めることができるので、上部施設１０まで海水が流れて行くような事態を未然に防止することができる。
【００２５】
なお、上記各実施の形態では、消波ビーチ３を階段状とした場合を示したが、テトラポットを階段状に近似させて斜めに敷き詰めるようにしてもよいこと、又、図１乃至図３に示す如く扉体４に閉じる方向の力を付与するために用いるスプリング９としては、扉体４の開閉支点となるヒンジ８の部分にねじりスプリングを組み付けるようにしてもよいこと、更に、扉体４は硬質ゴムのみに限られるものではないこと、扉体４の高さは適宜選定し得ること、その他本発明の要旨を逸脱しない範囲内において種々変更を加え得ることは勿論である。
【００２６】
【発明の効果】
以上述べた如く、本発明の浮体構造物の消波排水装置によれば、浮体構造物の少なくとも入射波側の外縁部に、階段状の消波ビーチを設け、該消波ビーチの外側端部に、複数の扉体を消波ビーチに沿わせて並列配置して海側へのみ水平方向に開くように取り付けて排水弁を構成するようにしてあるので、通常の入射波は排水弁の扉体が閉じることにより遮断して内側への海水の浸入を防ぐことができ、又、排水弁を乗り越えて海水が打ち込まれた場合には、消波ビーチで消波、減衰させることができて、打ち込みによる荷重を効果的に軽減できると共に、上部施設への海水の到達を防止でき、上記消波、減衰された海水は消波ビーチを排水路として流下した後、排水弁の扉体を押し開いて速やかに排水することができる。又、排水弁の扉体をスプリングにより常時閉じておくようにすると、風等で扉体が自然に開閉することがなく入射波の浸入を防止でき、更に、扉体を後傾姿勢となるように傾斜して配置したり、上端を支点に前後方向へ開くように配置した構成とすることにより、扉体に自重による閉じ力を与えることができて、メンテナンス上有利となると共に、扉体の前面が斜めになることから入射波の衝撃を緩和させることが可能となり、更に又、消波ビーチの内方位置に防波堤を設けることにより、万一、消波ビーチにても減衰されないような海水の打ち込みがあったとしても、防波堤で堰止めることができる、等の優れた効果を発揮する。
【図面の簡単な説明】
【図１】本発明の浮体構造物の消波排水装置の実施の一形態を示す部分概略側面図である。
【図２】図１の概略平面図である。
【図３】扉体が開いた状態を示す概略平面図である。
【図４】本発明の他の実施の形態を示す部分概略側面図である。
【図５】本発明の更に他の実施の形態を示すもので、（イ）は部分概略側面図、（ロ）は正面図である。
【図６】本発明の更に別の実施の形態を示す部分概略側面図である。
【符号の説明】
１  浮体構造物
２  海
３  消波ビーチ
４  扉体
５  排水弁
９  スプリング
１３  防波堤
【図１】
0003624496.tif 000002
【図２】
0003624496.tif 000003
【図３】
0003624496.tif 000004
【図４】
0003624496.tif 000005
【図５】
0003624496.tif 000006
【図６】
0003624496.tif 000007